(57)【要約】【課題】  本発明は、予め放射線部からの撮影処理情報データをＰＤＡ等に取り込み、これに基づく撮影装置制御用データによる所定の撮影、撮影結果データの取得と、得られたデータの放射線部へのフィードバックに再度ＰＤＡ等を利用した一連のデータ情報システムを提供する。【解決手段】  放射線部でのデータベース化蓄積データ手段と、該データから選択的所定作業スケジュール撮影処理情報データと、そのデータを取り込んだＰＤＡと、ポータブル撮影装置とからなり、ＰＤＡはそのデータに基づき前記撮影装置への撮影指令出力手段と、撮影装置から得られた撮影、結果データの蓄積手段と、データを放射線部の蓄積データ手段へフィードバックさせる手段とを有するＰＤＡ指令により動作する医療放射線ポータブル撮影装置制御システム。【選択図】  図４
2005278727.tif 000002
【特許請求の範囲】
【請求項１】
ＰＤＡ等の携帯端末機器からの指令により動作する医療放射線ポータブル撮影装置の操作において、予め放射線部においてデータベース化された蓄積データ手段と、該データから選択的に得られた所定作業スケジュールに基づく撮影処理情報データと、該情報データを取り込んだＰＤＡ等の携帯端末機器と、これに基づく撮影処理情報データで制御される医療放射線ポータブル撮影装置とからなり、前記ＰＤＡ等の携帯端末機器は前記撮影処理情報データに基づき前記撮影装置への撮影指令出力手段と、前記撮影装置から得られた所定の撮影、撮影結果データを蓄積させる入力手段と、前記端末機器から得られたデータを放射線部の前記蓄積データ手段へフィードバックさせる手段とを有するＰＤＡ等の携帯端末機器からの指令により動作する医療放射線ポータブル撮影装置制御システム。
【請求項２】
前記ＰＤＡ等の携帯端末機器により現在位置取得データと撮影場所取得データとから位置評価値を計算し、撮影を行うために移動距離が最短になるような病棟・撮影室の患者位置情報・撮影緊急度などの情報で抽出・並べ替えを行う前記撮影装置の運用を実行させることを特徴とする請求項１記載のＰＤＡ等の携帯端末機器からの指令により動作する医療放射線ポータブル撮影装置制御システム。
【請求項３】
前記ＰＤＡ等の携帯端末機器により前記ＰＤＡ上の撮影情報・患者の位置情報・撮影緊急度に従い、順に撮影該当患者の場所に移動をおこなうを行う前記撮影装置の運用を実行させることを特徴とする請求項１記載のＰＤＡ等の携帯端末機器からの指令により動作する医療放射線ポータブル撮影装置制御システム。
【請求項４】
前記ＰＤＡ等の携帯端末機器に患者のバーコード等患者認証判定手段を付加したことを特徴とする請求項１記載のＰＤＡ等の携帯端末機器からの指令により動作する医療放射線ポータブル撮影装置制御システム。
【請求項５】
前記ＰＤＡ等の携帯端末機器に患者のバーコード等患者認証判定手段を付加し、かつ、該当患者の撮影惰報とのリンクを行い、ポータブル撮影機に撮影条件を通信インタフエースにより伝送させることを特徴とする請求項１記載のＰＤＡ等の携帯端末機器からの指令により動作する医療放射線ポータブル撮影装置制御システム。
【請求項６】
前記ＰＤＡ等の携帯端末機器が撮影情報と撮影面像データの関連づけ手段を備え、かつ、通信インターフェースを介してホストコンピュータに送信した前記撮影情報と撮影面像データとを対比比較判定可能なリンク形式とした請求項１記載のＰＤＡ等の携帯端末機器からの指令により動作する医療放射線ポータブル撮影装置制御システム。
【発明の詳細な説明】
【技術分野】
【０００１】
本発明はＰＤＡ等の携帯情報端末システムに関し、これを医療放射線ポータブル撮影装置の操作につき、ＰＤＡ等の携帯端末機器からの指令により動作する医療放射線ポータブル撮影装置制御システムを提供することを目的としている。
【背景技術】
【０００２】
従来、外来患者の受付および会計処理を行う医療情報システム「ＨＩＳ」（Hospital Information System）に、放射線部における放射線診療情報システム「ＲＩＳ」（Radiology Information System）を連携させた病院内情報システムが知られている。前者は画像データのサーバ管理、受付業務、診療費等の事務処理システムであるのに対し、「ＲＩＳ」は、放射線検査と診療のためのシステムである。一方「ＲＩＳ」システムには可動型放射線撮影装置（ポータブル撮影装置）が配置され、それへの対応が必須である。
【０００３】
これらは多数台で「ＲＩＳ」システムが設置されている放射線部からは通常は離れた位置に配置されている。その理由は撮影位置への移動の容易さのためである。放射線技師、特に、ポータブル撮影装置の操作技師は、撮影内容を帳票等に複数人について「ＲＩＳ」システムから出力させた持参データに基づき撮影する。さらに、その場で実施内容を記入し、全員の撮影終了後に放射線部に戻り端末から実施結果の入力をなしている。
【０００４】
このように、放射線部では、多数の患者の検査を実施するが、放射線技師が検査と同時に患者の様々なデータを入力しなければならず膨大な事務処理時間と労力を強いられていた。データ項目は、患者の個人情報の他に、使用した放射線の種類、電圧、撮影部位など１回の撮影における負担が大であった。
【０００５】
一方、ネットワークを構成したデータのやりとりの面での課題もあった。これには、ＰＤＡなどを使用した汎用的なデータ処理装置の利用が考えられてきた。データ操作の容易化を図ることのできるように、操作手順をあらかじめマクロプログラムとして、プログラム化して格納しておき、格納されたマクロプログラムに従って操作を進め、操作のステップ（マクロステップ）毎に、操作ガイドを画面に表示し、表示されたガイドに従って、操作者は簡単なキー入力による選択指定を行うことにより、長い手順と複雑な操作を簡単な操作に置き換えることが考えられていた。これには特許文献１が存在しているが、単にＰＤＡの使用について一般的な開示でしかなかった。
【０００６】
また、他の特許文献２は放射線の集積量が所定値以内となることを目的としたサポートシステムである。放射線検診の運用に関する各スケジュールを立て、その際放射線管理を併せて行う。これにより、作業中に各医療従事者が受け得る放射線の集積量が所定値以内となるようにすることもできる。サポートセンターで、医療機関の運用データを管理し、医療機関側の放射線管理業務の負担を軽減することができるとの開示である。このため、ネットワークを介してサポートセンター等との間で情報のやりとりが可能なシステム構成であった。これもサポートセンターによる放射線技師の被爆管理のデータ処理にネットワークを構成させているに過ぎないものであった。
【特許文献１】特開２００３−５８３０３  ”データ処理装置”
【特許文献２】特開２００３−２１５２４９  ”放射線検診の運用管理
【０００７】
これらは「ＲＩＳ」システムとポータブル撮影装置を例に取っても解決すべき課題の開示がなかったり、部分的にデータ処理にＰＤＡとネットワークの開示がある程度である。撮影実施後撮影データの収集処理から再度ＰＤＡを利用したデータ処理システムを構築するといった一連の複雑・多岐のデータ処理については課題解決すら開示がなされていない問題を提示している。
この結果は、端的に前記データ処理に基づく、撮影ミス、入力ミス等についても回避のための具体的な開示がない。放射線技師に対しても、同時に操作と各種のデータ処理が重複し、しかも、患者への安全配慮、医療過誤、データ入力ミス等にも配慮が求められていた。このため、ポータブル撮影装置の操作前後における負担の軽減によるミスの発生阻止といった改善が急務であった。
【０００８】
しかしながら、一部「ＲＩＳ」におけるデータ処理だけでは、放射線技師に対する負担は不十分であり、ポータブル撮影装置の操作面にも撮影手順のロジックによる最適化による負担を解消させる必要があった。ポータブル撮影装置の位置情報の取得、表示のデータベース化を図ること、特に、人的なデータ移動といったデータ処理面、とりわけ、撮影依頼情報と撮影実施情報双方のデータ入力を省略すること、機器操作面双方に対する負担解消と安全配慮、病院の経営面での合理化の解決が課題であった。
【０００９】
したがって、本発明によれば、放射線部での処理、放射線技師に対する指令・処理、ポータブル撮影装置に対する操作指令、撮影のための各種入力処理及び撮影画像の取り込み、表示、確認による手間の省力化といった処理、各種患者識別情報のためのバーコード、リストバンド、指紋、手紋、眼紋等の利用による省力化、誤撮影の回避、これらの間での一連のリンクされたデータ処理、それらの主体として可搬型のＰＤＡ等の利用による低コストなハード構成、合理的なシステム構成等に係る課題解決を目的としている。これには、主としてポータブル撮影装置の操作に必要な手順を用意することからスタートし、それに必要な一連のデータのやりとりをＰＤＡにて実施し「ＲＩＳ」システムへのデータの受け渡しまでの流れをシステム化した課題解決を目的としている。
【発明の開示】
【発明が解決しようとする課題】
【００１０】
本発明は、上記課題を解決し、医療放射線ポータブル撮影装置の操作につき、予め放射線部からの撮影処理情報データをＰＤＡ等に取り込み、これに基づく撮影装置制御用データによる所定の撮影、撮影結果データの取得と、得られたデータの放射線部へのフィードバックに再度ＰＤＡ等を利用した一連のデータ情報システムを提供することを目的としている。
【課題を解決するための手段】
【００１１】
本発明は、ＰＤＡ等の携帯端末機器からの指令により動作する医療放射線ポータブル撮影装置の操作において、予め放射線部においてデータベース化された蓄積データ手段と、該データから選択的に得られた所定作業スケジュールに基づく撮影処理情報データと、該情報データを取り込んだＰＤＡ等の携帯端末機器と、これに基づく撮影処理情報データで制御される医療放射線ポータブル撮影装置とからなり、前記ＰＤＡ等の携帯端末機器は前記撮影処理情報データに基づき前記撮影装置への撮影指令出力手段と、前記撮影装置から得られた所定の撮影、撮影結果データを蓄積させる入力手段と、前記端末機器から得られたデータを放射線部の前記蓄積データ手段へフィードバックさせる手段とを有するＰＤＡ等の携帯端末機器からの指令により動作する医療放射線ポータブル撮影装置制御システムにより提供される。
【００１２】
また、前記ＰＤＡ等の携帯端末機器により現在位置取得データと撮影場所取得データとから位置評価値を計算し、撮影を行うために移動距離が最短になるような病棟・撮影室の患者位置情報・撮影緊急度などの情報で抽出・並べ替えを行う前記撮影装置の運用を実行させることを特徴とする前記記載のＰＤＡ等の携帯端末機器からの指令により動作する医療放射線ポータブル撮影装置制御システムにより提供される。
【００１３】
さらに、前記ＰＤＡ等の携帯端末機器により前記ＰＤＡ上の撮影情報・患者の位置情報・撮影緊急度に従い、順に撮影該当患者の場所に移動をおこなうを行う前記撮影装置の運用を実行させることを特徴とする前記記載のＰＤＡ等の携帯端末機器からの指令により動作する医療放射線ポータブル撮影装置制御システムにより提供される。
【００１４】
これらに、前記ＰＤＡ等の携帯端末機器に患者のバーコード等患者認証判定手段を付加したことを特徴とする前記記載のＰＤＡ等の携帯端末機器からの指令により動作する医療放射線ポータブル撮影装置制御システム。
【００１５】
また、前記ＰＤＡ等の携帯端末機器に患者のバーコード等患者認証判定手段を付加し、かつ、該当患者の撮影惰報とのリンクを行い、ポータブル撮影機に撮影条件を通信インタフエースにより伝送させることを特徴とする前記記載のＰＤＡ等の携帯端末機器からの指令により動作する医療放射線ポータブル撮影装置制御システムにより効果的に提供される。
さらに、前記ＰＤＡ等の携帯端末機器が撮影情報と撮影面像データの関連づけ手段を備え、かつ、通信インターフェースを介してホストコンピュータに送信した前記撮影情報と撮影面像データとを対比比較判定可能なリンク形式とした前記記載のＰＤＡ等の携帯端末機器からの指令により動作する医療放射線ポータブル撮影装置制御システムにより効果的に提供される。
【発明の効果】
【００１６】
本発明によれば、従来技術に比較した格別の効果が見いだされることが確認された。
予め放射線部においてデータベース化された蓄積データを選択的に得られた所定作業スケジュールに基づく撮影処理情報データを取り込んだＰＤＡ等の携帯端末機器で、これに基づく撮影処理情報データで制御される医療放射線ポータブル撮影装置を指令操作する。得られた結果データを端末機器から放射線部へフィードバックさせる一連の作業のＰＤＡ等の携帯端末機器によるシステム化が図れた。これによれば、撮影者（放射線技師）が撮影を行うときの移動距離が最短になるような病棟・撮影室の患者位置情報・撮影緊急度などに対応できる。
【００１７】
また、撮影者はＰＤＡ上の撮影情報・患者の位置情報・撮影緊急度に従い、順に撮影該当患者の場所に移動をおこなうことが可能となる。
さらに、撮影場所では患者のリストバンド等患者認証手段により、例えば、バーコードをＰＤＡにより読取判定後、自動的に該当患者の撮影惰報とリンクを行うことができ、誤認撮影の防止が図れた。
前記ＰＤＡ等の携帯端末機器が撮影情報と撮影面像データの関連づけ手段を備え、かつ、通信インターフェースを介してホストコンピュータに送信した前記撮影情報と撮影面像データとを対比比較判定可能なリンク形式として見れるようになる。
【発明を実施するための最良の形態】
【００１８】
本発明のＰＤＡ等の携帯端末機器からの指令により動作する医療放射線ポータブル撮影装置制御システムにつき以下図面を参照して説明する。図１は放射線検査システムの全体を示す概念図、図２はＰＤＡ等の携帯情報端末による放射線ポータブル撮影装置のシステム概念図、図３は図２のＰＤＡ等の携帯情報端末による基本処理の概念図、図４はＰＤＡ等の携帯情報端末の具体的な処理内容図、図５は放射線ポータブル撮影装置の撮影場所表示フロー、図６は患者認証フロー、図７は撮影画像フロー、図８は放射線検査の実施入力フロー及び図９は現在位置、撮影場所取得フローを示したものである。
【００１９】
図１でＰＤＡ等の携帯情報端末（以下「ＰＤＡ」という）１、放射線ポータブル撮影装置２があり、医療情報システム「ＨＩＳ」３及びＲＩＳシステム４が示されている。ＰＤＡは後述するＲＩＳシステム４の一部機能を担うデータ処理用に開発されたもので主として携帯端末の特徴を備えたものである。ＰＤＡは放射線ポータブル撮影装置２との連携には患者位置まで容易に移動でき、装置の操作上に必要な制御データ、患者データその他が蓄積されている。基本的には、これら１〜４のそれぞれは遠隔制御用の信号処理が可能で、無線又は有線による通信処理ができるようインターフェースが用意されている。
【００２０】
図２に示すように、ＰＤＡ１には放射線ポータブル撮影装置２との連携を取るための撮影場所表示６、放射線検査に必要な各種のデータがあり、患者情報としてのバーコード取込７、液晶画面等による撮影画像表示８、ポータブル撮影装置用の処理内容はポータブル撮影処理９等で実行可能とした。又、ホストコンピュータ５とＰＤＡ１とのデータのやりとりはそれぞれの通信インタフェース１０、１４を介して、無線又はＵＳＢ等による接続、グレードル連携で行っている。ホストコンピュータ５にあっては、ＰＤＡ１に対する入出力処理のため、通信インターフェース１０、１４及び１７によるポータブル撮影装置２に対する各種の処理データ、例えば、撮影依頼情報抽出１５、ポータブル撮影装置２から受け取った撮影実施情報、撮影画像データ等の編集処理１６をＨＩＳシステム３にて実施される。
【００２１】
図３はＰＤＡ部分のやや詳細な処理項目の具体例である。患者情報データの基本的な情報処理は個々の患者の識別から実行される。患者とカルテ等の一致は個々の識別データによる。例えば、リストバンドに表示されたバーコードを読み取るバーコードリーダ１８、その他のより精度の高い、指紋読取機１９、手紋読取機２０、眼紋読取機２１等により得られた識別情報により患者認証２２が実行される。同様に、ＰＤＡ内では放射線撮影場所表示６が与えられ、ポータブル撮影装置２に対する処理内容の実施入力２３が無線・有線ＬＡＮ１１といった装置によりインターフェース１２を介して指示される。ホストコンピュータ（ＰＣ、母艦側処理）は無線又はＵＳＢ、グレードル連携等手段１３により通信インターフェース１３、１４を介してＰＤＡとのデータ処理が実行される。
【００２２】
図４では、個別的にＰＤＡでのより詳細な処理項目を図示した。バーコードリーダ１８による患者ＩＤの照合２６、同様に指紋読取機１９による患者ＩＤの照合２７、手紋読取機２０による患者ＩＤの照合２８、眼紋読取機２１による患者ＩＤの照合２８等による患者認証が実行される。又、ＰＤＡ内では放射線撮影場所表示６にあっては撮影場所のソート２４、位置情報取得２５の検索ができる。ポータブル撮影装置２に対する処理内容の実施入力２３としては、放射線検査の種別変更及びその実施３１、フィルム変更及びその実施３２、撮影器材変更及びその実施３３が実行できる。撮影後の画像表示により撮影後の画像確認３０が行われる。
【００２３】
ポータブル撮影装置２は通信インターフェース１２、３９、４０を介して処理の実行内容及び実施結果が処理される。撮影依頼情報３４、患者属性３５が与えられ、又、撮影画像３６、撮影実施情報３７が取得される。これらはホストコンピュータとのより詳細なデータのやりとりにより得られたＰＤＡへの指令により達成される。ＰＤＡへの撮影依頼情報３４、患者属性３５、撮影場所順ソート３８が与えられ、又、その結果は、撮影画像３６、撮影実施情報３７とがＰＤＡ経由でホストコンピュータにて取得される。
【００２４】
前記図１ないし図４に示されたシステム構成における操作のフローは図５ないし図９に業務単位とした各ブロックごとのフローとして示されている。
図５は撮影場所表示フローで、ＰＤＡを所持する放射線技師の現在位置５０の取得からスタートする。ＧＰＳポータブル撮影装置２を検査位置である患者のベッド等に移動するためのフローでもある。これにはポータブル撮影装置２の現在位置取得が必要となる。いわゆるＧＰＳ（全地球測位システム）又はそれに類した位置情報検索システムを利用した。具体的には、図９にその一例を示す。ＰＤＡ携帯情報端末による現在位置、撮影場所取得フローといった方法で位置情報検索が好適である。まず、フローＳＴＡＲＴ端よりＰＤＡ携帯情報端末位置をＧＰＳより緯度経度情報取得（なお、現在位置は１階に標準設定、但し設定変更は可能としてある）９０、撮影場所の緯度経度、階数を位置マスタより取得９１、現在位置の緯度経度と各撮影室の緯度経度の絶対値の差を計算９２、階数の差＋１を係数として乗算９３、上記評価値の小さい順にソート９４、ＥＮＤへのフローとなる。このようにＧＰＳ利用によりＰＤＡ等の携帯情報端末と放射線ポータブル撮影装置との位置関係をＰＤＡ携帯情報端末１によって解決したものである。
【００２５】
次に患者の撮影場所取得５１に進む。具体的には図５に一例を示すＰＤＡ携帯情報端末１による撮影場所表示フローといった方法で実行する。これらのフローのＳＴＡＲＴ端から、現在位置取得５０（具体的には図９参照）、病棟・病室コードによる撮影場所取得５１、位置評価値計算５２を実施し、全データ計算完了判定５３を、位置評価値計算５２に基づき、現在位置と病棟・病室コードより計算、効率的な撮影順にソート・位置評価順５４を得る。ここで撮影患者の選択５５、選択患者依頼・属性情報を表示させ５６、撮影場所表示５７、撮影業務５８を実行する。これらのステップの完了で全患者撮影完了判定５９、ＥＮＤ端に至る。
【００２６】
図６はＰＤＡ携帯情報端末１による患者認証フローである。認証手段は図４のバーコードリーダ１８、指紋読取機１９、手紋読取機２０、眼紋読取機２１等が利用でき、具体的には、バーコードリーダとしては、ソケット・コミュニケーションズ社製(Socket Communications, Inc.)、型式ＳＬ２７０１−１１２(製品名Bar Code Wand CF Card)が適当である。指紋読取機としては、富士通社製、型式ＦＳ−２１０Ｕが適当である。
【００２７】
次にフローについて図６にもとづき説明する。まずＳＴＡＲＴ端から、接続デバイス判定６０、接続デバイス判定されたデバイスで、接続デバイスより患者認証情報取得６１、患者認証情報６１と患者ＩＤマッチングをチェック６２する。該当患者ＩＤがあれば、図のフローの左側ステップに進む。該当患者の撮影依頼データ依頼の有無判定６３、依頼が有れば、それらの該当患者の撮影依頼情報・患者属性の表示６４に進み、ＥＮＤ端で患者認証フローを終わる。他方、患者認証情報と患者ＩＤマッチングをチェックをしたが、該当患者ＩＤが無いと図の右側ステップに進む。このときエラー表示６５となり、手入力モード６６でデータ入力を行う。具体的には、仮想キーボードにより、ＰＤＡにて入力作業を進める。該当患者の撮影依頼データ依頼の有無判定６７、依頼が有れば、それらの該当患者の撮影依頼情報・患者属性の表示６８にに進み、前記と同じくＥＮＤ端で患者認証フローを終わる。また該当患者の撮影依頼データ依頼の有無判定６３でＮＯ判定時、もしくは、該当患者の撮影依頼データ依頼の有無判定６７で同様ＮＯ判定時には、エラー表示６９となり、該当患者の撮影依頼情報・患者属性の表示は不可となり、ＥＮＤ端で患者認証フローを終わる。  
【００２８】
図７はＰＤＡ携帯情報端末１による撮影画像表示フローである。患者から得られた撮影画像についての確認作業となる。まず、ＳＴＡＲＴ端から患者選択７０、撮影実施データの有無判定７１、画像データ有無判定７２、撮影枚数の複数又は単数枚数判定７３、これらの画像表示で単数表示７７、複数表示時となる場合７４、画像選択７５、単数表示７６に進み、ＥＮＤ端で撮影画像フローを終わる。
【００２９】
図８は、ＰＤＡ携帯情報端末１による実施入力フローである。これらは主として各種判定ステップとなる。
ＳＴＡＲＴ端から撮影実施データの実施情報の入力８０、検査種別・整合性チェック８１、撮影部位整合性チェック８２、撮影方向整合性チェック８３、撮影部位整合性チェック８４、フィルム整合性チェック８５、器材整合性チェック８６、点数コード変換をし８７、最終的に並べ替え・まるめ８８に進み、ＥＮＤ端で撮影後の実施入力フローを終わる。
上記フローはそれぞれハードウエア資源との相関のもとに、具体的な処理手段が実行されることはいうまでもない。以下は、具体的に本システムの基本的なデータ処理につき説明する。
【実施例】
【００３０】
放射線撮影技師は病院内では、一般に放射線部に配属されている。医師からの特定患者の放射線（Ｘ線）撮影を依頼されることからこのシステムの実施例を説明する。
医師、患者、撮影技師が複数存在している例が一般的である。放射線部には、患者情報、撮影スケジュール、撮影画像、ポータブル撮影装置、会計処理に必要な保険点数等その他の各種データが多数存在し、日々追加され変動している。これらのデータベースは医療診断の根幹をなすものである。
【００３１】
これらのデータベースをより合理的に構築し、かつ、その運用に対するフェイルセーフ、コストパーフォーマンス、撮影技師から見た負担感、正確性、安全性への配慮が強く望まれる。
これらから、本システムは、撮影技師にＰＤＡ等の携帯情報端末１を持たせる。患者近傍に任意に設置された可動型の放射線ポータブル撮影装置２、放射線部を含む医療情報システム（ＨＩＳ）３とＲＩＳシステム４が用意されている。それとＰＤＡ等の携帯情報端末１からサーバ的な位置づけもあるホストコンピュータ５をシステム全体として構築した。
【００３２】
ＰＤＡ等の携帯情報端末１としては具体的には東芝社製のGENIO e550GXを使用した。しかしながら、これに限定されない。また、ＯＳについても同様である、可搬可能な携帯情報端末が望ましい。今後の技術発展から、これに類した情報端末機器も利用可能である。
【００３３】
次に、以下の項目に分け本発明の一実施例を説明する。
１．ＰＤＡ等の携帯情報端末に対するデータ処理については、本発明の前記システム構成から適宜各種の実施方法が選択可能である。以下その一例を具体的に説明する。例えば、ポータブル撮影装置に対する指令についてはＰＤＡ等の携帯情報端末を介したＲＩＳシステムとしてのデータ処理システムにより実現される。その結果はＲＩＳシステムに有線接続（無線も含む）されたＰＤＡ携帯情報端末に対するポータブル撮影指令が主たる指令として実行される。
ＲＩＳシステムにおけるデータ加工は自動化可能な撮影依頼情報とした指令情報となる。その条件の設定としては、当日撮影処理として選択、ＰＤＡ携帯情報端末ごと、放射線ポータブル撮影装置の選択等によった指令情報となる。その結果はＲＩＳシステムに接続（無線も含む）されたＰＤＡ携帯端末に対するポータブル撮影装置への指令として実行される。
【００３４】
２．ＰＤＡ携帯情報端末１では、撮影技師の作業性その他の条件から撮影依頼情報を検索ないしソートにより実行されることが望ましい。具体的なフローは図５によった。撮影場所が同じ病棟かのソート、撮影階が上から下へのソート、撮影室番号の昇順ソート、ＧＰＳで取得した撮影技師位置に近い撮影場所かの確認用昇順ソート又は緊急性その他の条件による検索等の手段がＰＤＡ携帯情報端末１で実行される。
【００３５】
３．かかるＰＤＡ等の携帯端末を利用した本発明の処理は以下の通りとなる。
（１）撮影する患者の選択及び選択手順は一般的に、患者リストから選択したものに対して、バーコード、指紋、手紋、眼紋読取により開始する。ついで、撮影内容の確認、変更及びポータブル撮影装置への撮影内容の転送、さらに、ポータブル撮影装置からの撮影結果の取得、使用フィルム、機材などの数量、種類の選択を進める。これらの単一患者情報は撮影数により加算され、処理された結果をＰＤＡ等の携帯情報端末から放射線室に戻りＲＩＳシステムに転送する。
（２）得られた撮影データのデータベース化も同様可能となる。撮影依頼情報、撮影実施情報、撮影情報の関連づけを行う。関連づけされた各情報は最終的にＨＩＳシステムに転送する。これらはＨＩＳシステム上で依頼情報、実施内容及び画像情報検索システムとしてデータベース化可能となる。
【産業上の利用可能性】
【００３６】
本発明のＰＤＡ等の携帯端末機器からの指令により動作する医療放射線ポータブル撮影装置制御システムによれば、放射線撮影分野のみならず、他の医療分野、その他の分野での利用可能性が考えられる。本発明のＰＤＡ等の携帯端末はＲＩＳシステムと放射線ポータブル撮影装置のいわば仲立ちを行い、撮影移動先にて簡易ＲＩＳシステムとしての動作を可能とした。また、携帯端末はＲＩＳシステムは撮影依頼情報、撮影実施情報及び撮影画像情報のいわば３つの情報用バッファーともいえる一時記憶媒体としての役割を担っている。
【図面の簡単な説明】
【００３７】
【図１】放射線検査システムの全体を示す概念図。
【図２】ＰＤＡ等の携帯情報端末による放射線ポータブル撮影装置のシステム概念図。
【図３】図２のＰＤＡ等の携帯情報端末による基本処理の概念図。
【図４】ＰＤＡ等の携帯情報端末の具体的な処理内容図。
【図５】撮影場所表示フロー。
【図６】患者認証フロー。
【図７】撮影画像フロー。
【図８】実施入力フロー。
【図９】現在位置、撮影場所取得フロー。
【符号の説明】
【００３８】
１  ＰＤＡ等の携帯情報端末
２  放射線ポータブル撮影装置
３  医療情報システム（ＨＩＳシステム）
４  ＲＩＳシステム
５  ホストコンピュータ
６  撮影場所表示
７  バーコード取込
８  撮影画像表示
９  ポータブル撮影処理
１１  無線・有線ＬＡＮ
１５  撮影依頼情報抽出
１６  撮影実施情報、撮影画像データ編集
１８  バーコードリーダ
１９  指紋読取機
２０  手紋読取機
２１  眼紋読取機
２２  患者認証
２３  実施入力
２４  撮影場所ソート
２５  患者の位置情報取得
２６  バーコード・患者ＩＤ照会
２７  指紋・患者ＩＤ照会
２８  手紋・患者ＩＤ照会
２９  眼紋・患者ＩＤ照会
３０  撮影後の画像確認
３１  検査種別変更・実施
３４  撮影依頼情報
３５  患者属性
３６  撮影画像
３７  撮影実施情報
５０  現在位置取得
６０  接続デバイス判定
７０  患者選択
８０  実施情報入力
【図１】
2005278727.tif 000003
【図２】
2005278727.tif 000004
【図３】
2005278727.tif 000005
【図４】
2005278727.tif 000006
【図５】
2005278727.tif 000007
【図６】
2005278727.tif 000008
【図７】
2005278727.tif 000009
【図８】
2005278727.tif 000010
【図９】
2005278727.tif 000011